(57)【特許請求の範囲】
【請求項１】
レンズ鏡筒に挿脱可能で、該レンズ鏡筒への挿入状態で光束を通す開口を有する枠体；
この枠体の開口上に装着されるフィルタデバイス、このフィルタデバイスは、枠体の開口に固定される固定環と、枠体をレンズ鏡筒に挿入した状態でこの固定環に対して該レンズ鏡筒の光軸を中心として相対回転可能な回転環と、該回転環に支持されるフィルタとを備えていること；
上記枠体に枢着した揺動アームの一端に回転可能に支持され、該揺動アームの揺動によって、上記回転環に係合して該回転環に対して回転力を伝達する連動位置と、上記回転環に係合せず該回転環に対して回転力を伝達しない非連動位置とに移動される回転操作部材；
上記揺動アームに形成した揺動カム溝；
上記枠体をレンズ鏡筒に挿入した状態で該枠体に対して上記光軸を中心とする周方向へ移動操作可能に支持され、かつ上記揺動カム溝に摺動可能に嵌る作動ピンを有し、周方向への移動によって該作動ピンと揺動カム溝を介して上記揺動アームを揺動させて上記回転操作部材を上記連動位置と非連動位置に移動させる移動スイッチ部材；
上記移動スイッチ部材を、回転操作部材の上記連動位置と非連動位置に対応する位置で係止する係止機構；及び
上記回転環に対する上記回転操作部材の連動位置方向へ揺動アームを移動付勢するばね部材；
を有することを特徴とするフィルタホルダ。
【請求項２】
請求項１記載のフィルタホルダにおいて、枠体上には、複数のフィルタデバイスが択一して装着可能であるフィルタホルダ。
【請求項３】
請求項１または２記載のフィルタホルダにおいて、回転操作部材は、その回転軸方向へ位置調整が可能であるフィルタホルダ。
【請求項４】
請求項１ないし３いずれか１項記載のフィルタホルダにおいて、上記回転操作部材の外周にゴム材料からなる摩擦部材が固定され、回転操作部材が上記連動位置にあるとき、該摩擦部材が上記回転環に対して係合するフィルタホルダ。
【請求項５】
請求項１ないし３いずれか１項記載のフィルタホルダにおいて、上記回転操作部材の外周面にローレットが形成され、回転操作部材が上記連動位置にあるとき、該ローレットが上記回転環に対して係合するフィルタホルダ。
【請求項６】
請求項４または５記載のフィルタホルダにおいて、さらに、上記回転環の外周面に、上記回転操作部材が上記連動位置にあるとき該回転操作部材に係合されるローレットを備えているフィルタホルダ。
【発明の詳細な説明】
【０００１】
【技術分野】
本発明は、レンズ鏡筒に装着されるフィルタホルダに関する。
【０００２】
【従来技術及びその問題点】
カメラのフィルタホルダには、レンズ鏡筒に差し込んで装着するタイプが多用されている。差込式のフィルタホルダは、小型に構成でき、またフィルタが汚れにくいという利点があるが、偏光フィルタなど、回転操作を要するフィルタを回転させる際には、フィルタホルダを一旦レンズ鏡筒から取り外す必要があり、使用に手間がかかるものであった。実開昭５９−９５３２８号では、このような差込式のフィルタホルダにおいて、偏光フィルタを外部から回転操作可能にして利便性を向上させる構成が提案されている。しかしながら、この実開昭５９−９５３２８号のフィルタホルダは、偏光フィルタ以外のフィルタを装着することができず、他のフィルタを使用するときには異なるフィルタホルダを用意しなくてはならない。
【０００３】
【発明の目的】
本発明は、装着状態のフィルタを外部から容易かつ確実に回転操作することができ、かつフィルタの交換を容易に行うことのできるフィルタホルダを得ることを目的とする。
【０００４】
【発明の概要】
本発明のフィルタホルダは、レンズ鏡筒に挿脱可能で、該レンズ鏡筒への挿入状態で光束を通す開口を有する枠体；この枠体の開口上に装着されるフィルタデバイス、このフィルタデバイスは、枠体の開口に固定される固定環と、枠体をレンズ鏡筒に挿入した状態でこの固定環に対して相対回転可能な回転環と、該回転環に支持されるフィルタとを備えていること；上記枠体に枢着した揺動アームの一端に回転可能に支持され、該揺動アームの揺動によって、回転環に係合して該回転環に対して回転力を伝達する連動位置と、回転環に係合せず該回転環に対して回転力を伝達しない非連動位置とに移動される回転操作部材；揺動アームに形成した揺動カム溝；枠体をレンズ鏡筒に挿入した状態で該枠体に対して光軸を中心とする周方向へ移動操作可能に支持され、かつ揺動カム溝に摺動可能に嵌る作動ピンを有し、周方向への移動によって該作動ピンと揺動カム溝を介して揺動アームを揺動させて回転操作部材を連動位置と非連動位置に移動させる移動スイッチ部材；移動スイッチ部材を、回転操作部材の連動位置と非連動位置に対応する位置で係止する係止機構；及び、回転環に対する回転操作部材の連動位置方向へ揺動アームを移動付勢するばね部材；を有することを特徴としている。
【０００５】
このフィルタホルダにおいて、枠体上には、複数のフィルタデバイスが択一して装着可能であることが望ましい。
【０００８】
回転操作部材は、その回転軸方向へ位置調整が可能であることが望ましい。
【０００９】
回転操作部材の外周部分には、連動位置にあるときに回転環に対して係合する部位として、ゴム材料からなる摩擦部材やローレットを配するとよい。さらに、回転環の外周面に、回転操作部材が連動位置にあるとき該回転操作部材に係合されるローレットを形成してもよい。
【００１０】
【発明の実施の形態】
図１から図５に示すフィルタホルダ１０は、レンズ鏡筒の外周面に沿う部分円筒状の外装板１１と、この外装板１１から延出されたフィルタ支持枠１２を備えており、外装板１１に設けたフィルタホルダ着脱機構１３を介して、図２２及び図２３に示すようにレンズ鏡筒６０に形成したホルダ挿入部６１に挿入固定することが可能となっている。レンズ鏡筒６０は、図示しないカメラ本体にマウント部６２を介して着脱されるものである。フィルタホルダ１０は、レンズ鏡筒６０に装着した状態では、その外装板１１が、レンズ鏡筒６０の外周面と略面一をなしている。フィルタホルダ着脱機構１３は周知のものであり、ここではその具体的構成は問わないが、外部に露出するノブ１３ａを回転操作することによって、フィルタホルダ１０を固定状態と着脱可能状態とに切り換えることができる。なお、各図における符号Ｏは、レンズ鏡筒６０の撮影光軸を示している。
【００１１】
フィルタ支持枠１２には、光束を通す開口１２ａが形成され、この開口１２ａに対応させてフィルタを着脱する手段としての雌ねじ１４が形成されている。この雌ねじ１４に対して雄ねじ１６を螺着させることにより、偏光フィルタ部材（フィルタデバイス）１５をフィルタホルダ１０に取り付けることができる。偏光フィルタ部材１５は、雄ねじ１６が外周に形成された固定環１７と、この固定環１７に対して回動自在な回転環１８と、この回転環１８に支持されたフィルタ１９とから構成されていて、雌ねじ１４と雄ねじ１６によって固定環１７をフィルタ支持枠１２に固定すると、回転環１８がフィルタ支持枠１２に対して回転自在となる。フィルタ１９は、回転環１８に固定された周知の偏光フィルタであり、回転環１８と共に回転させることにより、物体面からの反射を調整することができる。偏光フィルタ部材１５を装着した状態において、このフィルタ１９はフィルタ支持枠１２の開口１２ａ上に位置される。また、回転環１８の外周面には、ローレット２０が形成されている。
【００１２】
フィルタホルダ１０には、偏光フィルタ部材１５の回転環１８を外部から回転操作するための回転操作機構５が設けられている。回転操作機構５は、一端が軸２１によりフィルタ支持枠１２に枢着された揺動アーム２２と、この揺動アーム２２の他端に軸２３で回動可能に支持された操作ダイヤル２４と、揺動アーム２２を所定方向に付勢するアーム付勢ばね２５とを備えている。フィルタホルダ１０の外装板１１には、内周面と外周面を貫通する貫通孔２６が形成されており、操作ダイヤル２４は、その一部を貫通孔２６から外部に突出させている。
【００１３】
操作ダイヤル２４の外周面には周方向へ凹部２４ａが形成されており、この凹部２４ａにゴムリング２７の内方凸部２７ａが嵌着されている。ゴムリング２７は操作ダイヤル２４と一体に移動及び回動されるものであり、揺動アーム２２が軸２１を中心に揺動し、該揺動アーム２２の先端に支持された操作ダイヤル２４がフィルタホルダ１０の内径または外径方向に移動されると、該ゴムリング２７の外周面が、上記偏光フィルタ部材１５の回転環１８に形成したローレット２０に対して接離される。具体的には、貫通孔２６からの突出量が少なくなる方向（内径方向）に操作ダイヤル２４が移動されれば（揺動アーム２２を揺動させれば）ゴムリング２７とローレット２０が係合し、貫通孔２６からの突出量が多くなる方向（外径方向）に操作ダイヤル２４が移動されれば（揺動アーム２２を揺動させれば）ゴムリング２７とローレット２０の係合は解除される。上記のアーム付勢ばね２５は、ゴムリング２７とローレット２０の係合が解除される方向へ揺動アーム２２を移動付勢しており、回転操作機構５に対して外力を加えなければ、操作ダイヤル２４のゴムリング２７と、回転環１８のローレット２０との間には、一定の隙間Δが確保される（図１）。すなわち、回転操作機構５は、常時は、単に操作ダイヤル２４を回転操作しても回転環１８には回転力は伝わらない非連動状態に保持されている。
【００１４】
回転環１８を回転させるには、図２に示すように、アーム付勢ばね２５に抗して指などで操作ダイヤル２４を押し込み、ゴムリング２７とローレット２０を係合させて操作ダイヤル２４と回転環１８を連動状態にしてから、操作ダイヤル２４を回転操作する。すると、ゴムリング２７とローレット２０の係合関係によって操作ダイヤル２４の回転力が回転環１８に伝えられ、フィルタ１９に所望の偏光特性を与える位置まで該回転環１８を回転させることができる。この回転操作は、フィルタホルダ１０をレンズ鏡筒６０から取り外さずに、カメラのファインダで確認しながら行うことができるので、容易に最適な回転位置を得ることができる。
【００１５】
フィルタ支持枠１２には、操作ダイヤル２４を押し込んだときの過度移動を規制するためのストッパ２８が突設されていて、このストッパ２８に揺動アーム２２の先端部が当接した時点で、それ以上の連動方向への揺動アーム２２（操作ダイヤル２４）の移動が規制される。このようなストッパを設けない場合、操作ダイヤル２４が、ゴムリング２７の撓みの限界を越える力で押圧操作されたときに、偏光フィルタ部材１５側に過度な力が作用して損傷が生じるおそれがある。本フィルタホルダ１０では、ストッパ２８を設けることにより、このような偏光フィルタ部材１５の破損を防ぐことができる。但し、このストッパ２８によって移動規制される操作ダイヤル２４の移動位置では、ゴムリング２７とローレット２０の間には、回転力を伝達するのに十分な程度の係合が確保されている。
【００１６】
回転環１８に対する回転操作を中止するには、操作ダイヤル２４から指を離せばよい。操作ダイヤル２４に対する押圧操作を解除すると、操作ダイヤル２４は、アーム付勢ばね２５の付勢力によって、ゴムリング２７とローレット２０の間に隙間Δが確保される非連動位置（図１）に戻る。
【００１７】
このフィルタホルダ１０では、偏光フィルタ部材１５から異なるフィルタへの交換を容易に行うことができる。すなわち、回転操作機構５は、操作ダイヤル２４を押圧操作して連動位置に移動させなければ、フィルタ着脱に干渉しない非連動状態に保持されるので、雄ねじ１６と雌ねじ１４の螺合を解除する方向に固定環１７を回転させれば、偏光フィルタ部材１５を取り外すことができる。図２１は、偏光フィルタ部材１５とは異なるフィルタ部材２９を装着した状態を示している。フィルタ部材２９は、雄ねじ１６’を外周に有する固定環１７’に一枚のフィルタ１９’を保持してなっており、雄ねじ１６’を雌ねじ１４に螺合させることでフィルタホルダ１０に装着することができる。このフィルタ部材２９は回転操作する必要がないため、フィルタ部材２９を装着している間は回転操作機構５は操作されない。
【００１８】
図６から図１０におけるフィルタホルダ３０の回転操作機構６では、外周にゴムリング２７を配した先の実施形態の操作ダイヤル２４に代えて、外周にローレット３１が形成された操作ダイヤル３２を用いている。その他の構成に関しては先のフィルタホルダ１０と同じであり、操作ダイヤル３２は、非操作時には、ローレット３１をローレット２０から一定量離間させた非連動位置に保持されており（図６）、操作ダイヤル３２を指などで押圧操作してローレット３１をローレット２０に係合させることにより、操作ダイヤル３２の回転力を回転環１８に伝達することが可能な連動位置に至る（図７）。このフィルタホルダ３０でも、レンズ鏡筒に装着したまま偏光フィルタ部材１５を回転操作することができ、しかも偏光フィルタ部材１５とは異なるフィルタへの交換を容易に行うことができる。
【００１９】
図１１から図１５は、本発明を適用した第１の実施形態におけるフィルタホルダ４０を示している。この実施形態におけるフィルタホルダ４０の回転操作機構７は、操作モードと非操作モードを選択するための機構が先のフィルタホルダ１０（３０）と異なっている。それ以外のフィルタホルダ１０と共通する構成要素は同じ符号で示しており、重複する説明は省略する。フィルタ支持枠１２には、撮影光軸Ｏを中心とする周方向へスイッチ案内長孔４１が形成され、このスイッチ案内長孔４１に対して、モード切換スイッチ（移動スイッチ部材）４２に固定した作動ピン４３が摺動可能に嵌まっている。モード切換スイッチ４２は、作動ピン４３がスイッチ案内長孔４１内で案内されることによって、外装板１１に沿って周方向に移動され、このモード切換スイッチ４２の移動に応じて、該モード切換スイッチ４２に固定したクリックばね（係止機構）４４の自由端部が、フィルタ支持枠１２上に形成した一対のクリック孔（係止機構）４５、４６に嵌まる。上記のスイッチ案内長孔４１に挿通した作動ピン４３はさらに、揺動アーム２２に形成した揺動カム溝４７に嵌まっている。揺動カム溝４７は、上記のスイッチ案内長孔４１に対して所定の傾きを与えられた長孔である。従って、モード切換スイッチ４２を周方向に移動させると、作動ピン４３と揺動カム溝４７の関係によって、揺動アーム２２には軸２１を中心とする揺動動作が与えられる。
【００２０】
具体的には、図１１に示すように、モード切換スイッチ４２が、クリックばね４４をクリック孔４５に係合させた移動位置にあるときには、操作ダイヤル（回転操作部材）２４のゴムリング２７を回転環１８のローレット２０から離間させる非連動位置に揺動アーム２２が保持される。図１２のように、クリックばね４４がクリック孔４６に嵌まる移動位置までモード切換スイッチ４２を移動させると、作動ピン４３と揺動カム溝４７を介して、揺動アーム２２を下方へ移動させようとする力が作用し、この揺動アーム２２に支持された操作ダイヤル２４のゴムリング２７が、回転環１８のローレット２０に係合する連動位置へ移動される。この連動位置では、操作ダイヤル２４を回転させると、偏光フィルタ部材１５の回転環１８を回転させることができる。すなわち、モード切換スイッチ４２を操作することによって、偏光フィルタ部材１５を回転操作するための連動位置と、回転操作を行わない非連動位置とに操作ダイヤル２４を切り換えることができる。なお、先のフィルタホルダ１０、３０と異なり、フィルタホルダ４０では、モード切換スイッチ４２を図１２の係止位置に保持している間は操作ダイヤル２４が回転環１８に連動されるので、偏光フィルタ部材１５を回転操作しないときや、フィルタを交換するときには、モード切換スイッチ４２を図１１の係止位置まで移動させて、操作ダイヤル２４を回転環１８に対して非連動状態に保持するという操作を行う。
【００２１】
回転操作機構７には、一端を揺動アーム２２に支持され、他端をフィルタ支持枠１２に支持されたアーム付勢ばね４８が設けられており、このアーム付勢ばね４８は、操作ダイヤル２４と回転環１８が連動する方向へ揺動アーム２２を付勢している。一方、モード切換スイッチ４２による、操作ダイヤル２４の非連動位置から連動位置への移動（揺動アーム２２の揺動）には若干の遊びが設けられている。従って、モード切換スイッチ４２を連動方向に移動操作したときには、操作ダイヤル２４はアーム付勢ばね４８の付勢力により連動位置に保持される。このように、操作ダイヤル２４の連動位置を、カム溝による機械的案内のみで出さずに、アーム付勢ばね４８を用いて保持させることにより、操作ダイヤル２４のゴムリング２７と回転環１８のローレット２０に確実な係合を与えつつ、ゴムリング２７の撓みの限界以上に操作ダイヤル２４が押圧されて偏光フィルタ部材１５が破損することを防ぐことができる。
【００２２】
図１６から図２０に示す本発明の第２の実施形態に係るフィルタホルダ５０の回転操作機構８は、先のフィルタホルダ４０における操作ダイヤル２４を、外周にローレット３１を有する操作ダイヤル（回転操作部材）３２に代えたものであり、他の構成についてはフィルタホルダ４０と共通している。つまり、モード切換スイッチ４２の操作に応じて揺動アーム２２が揺動され、操作ダイヤル３２のローレット３１が、偏光フィルタ部材１５側のローレット２０に対して係合及び係合解除される。ローレット３１、２０の係合状態では、操作ダイヤル３２を回転操作すると偏光フィルタ部材１５の回転環１８及びフィルタ１９が回転され、ローレット３１、２０の係合を解除した状態では、偏光フィルタ部材１５の取り外しまたは他のフィルタの装着を容易に行うことができる。
【００２３】
なお、このフィルタホルダ５０では、アーム付勢ばね４８は、モード切換スイッチ４２を連動方向に操作したときに操作ダイヤル３２を適切に連動位置に保持させるという作用に加えて、この連動方向へのスイッチ操作に際して、操作ダイヤル３２側のローレット３１と偏光フィルタ部材１５側のローレット２０の互いの山部が当接し、噛み合いが生じなかった場合の逃げ機構としても作用する。つまり、ローレットの噛み合いが生じないということは、モード切換スイッチ４２の移動量に比して操作ダイヤル３２の移動量が少ないということになるが、この移動量の差は、アーム付勢ばね４８の撓みによって吸収することができる。そして、この非噛合状態から、操作ダイヤル３２をいずれかの方向に若干量回転させれば、アーム付勢ばね４８の撓み解放力によってローレット３１、２０の噛合が生じる。
【００２４】
以上の各実施形態では、偏光フィルタ部材１５の回転環１８に形成するローレット２０と、操作ダイヤル２４、３２の回転伝達面（ゴムリング２７、ローレット３１）とは、光軸方向の位置が一致するものである。しかしながら、交換されるフィルタ部材の構造によっては、フィルタホルダ側の操作ダイヤルとフィルタ側の回転環とで、互いの回転伝達面の回転軸方向（光軸方向）の位置が一致しない可能性がある。このような場合には、操作ダイヤルをその回転軸方向（光軸方向）に移動可能に構成し、互いの回転伝達面を係合させることが可能な位置まで操作ダイヤルを移動させればよい。
【００２５】
本発明は以上の図示実施形態に限定されるものではない。例えば、第１の実施形態におけるフィルタホルダ４０では、操作ダイヤルの外周に装着する摩擦部材をゴムリングとしたが、摩擦により回転力を伝達することが可能であれば、スポンジ、モルトなどゴム以外の材料を用いてもよい。また各実施形態では、偏光フィルタの回転環にはローレットを形成したが、このローレットに代えてゴムリングなどの摩擦部材を用いてもよい。また、実施形態では回転環に一つの偏光フィルタを装着するものとしたが、回転環と固定環にそれぞれフィルタを設けて、この一対のフィルタの相対的な回転で調整を行うものであってもよい。
【００２６】
【発明の効果】
以上のように本発明のフィルタホルダでは、フィルタデバイスの回転環を回転操作する回転操作部材を、揺動アームと移動スイッチ部材によって、回転環に係合して回転力を伝達する連動位置と該係合を解除する非連動位置とに択一的に位置させ、かつ回転操作部材と回転環との連動方向へ揺動アームを付勢するばね部材を備えたので、レンズ鏡筒に装着した状態でフィルタデバイスの回転環を容易かつ確実に回転操作することができ、かつフィルタの交換を容易に行うことができる。
【図面の簡単な説明】
【図１】  操作モードと非操作モードの切り替えを行う機構を本発明とは異ならせたタイプのフィルタホルダの非回転操作状態を正面から示した図である。
【図２】  図１のフィルタホルダの回転操作状態を正面から示した図である。
【図３】  図１のIII−III線に沿って示す断面図である。
【図４】  図２のIV−IV線に沿って示す断面図である。
【図５】  図１のV矢視図である。
【図６】  図１ないし図６のフィルタホルダと同タイプのモード切り替え機構を備え、操作ダイヤルの外面をローレットで形成したフィルタホルダの非回転操作状態を正面から示した図である。
【図７】  図６のフィルタホルダの回転操作状態を正面から示した図である。
【図８】  図６のVIII−VIII線に沿って示す断面図である。
【図９】  図７のIX−IX線に沿って示す断面図である。
【図１０】  図６のX矢視図である。
【図１１】  本発明を適用した第１の実施形態のフィルタホルダの非回転操作状態を正面から示した図である。
【図１２】  図１１のフィルタホルダの回転操作状態を正面から示した図である。
【図１３】  図１１のXIII−XIII線に沿って示す断面図である。
【図１４】  図１２のXIV−XIV線に沿って示す断面図である。
【図１５】  図１１のXV矢視図である。
【図１６】  図１１ないし図１５における第１の実施形態のフィルタホルダと同タイプのモード切り替え機構を備え、操作ダイヤルの外面をローレットで形成した、本発明の第２の実施形態のフィルタホルダの非回転操作状態を正面から示した図である。
【図１７】  図１６のフィルタホルダの回転操作状態を正面から示した図である。
【図１８】  図１６のXVIII−XVIII線に沿って示す断面図である。
【図１９】  図１７のXIX−XIX線に沿って示す断面図である。
【図２０】  図１６のXX矢視図である。
【図２１】  図１ないし図６に示すフィルタホルダに、偏光フィルタ部材とは異なるフィルタ部材を装着した状態を示す断面図である。
【図２２】  図１ないし図６に示すフィルタホルダを取り付けた状態のレンズ鏡筒の断面図である。
【図２３】  図２２のレンズ鏡筒の外観図である。
【符号の説明】
５  ６  ７  ８  回転操作機構
１０  ３０  ４０  ５０  フィルタホルダ
１１  外装板
１２  フィルタ支持枠
１３  フィルタホルダ着脱機構
１４  雌ねじ
１５  偏光フィルタ部材（フィルタデバイス）
１６  雄ねじ
１７  固定環
１８  回転環
１９  フィルタ
２０  ３１  ローレット
２２  揺動アーム
２４  ３２  操作ダイヤル（回転操作部材）
２５  ４８  アーム付勢ばね
２６  貫通孔
２７  ゴムリング
２８  ストッパ
４１  スイッチ案内長孔
４２  モード切換スイッチ（移動スイッチ部材）
４３  作動ピン
４４  クリックばね（係止機構）
４５  ４６  クリック孔（係止機構）
４７  揺動カム溝
【図１】
0004369544.tif 000002
【図２】
0004369544.tif 000003
【図３】
0004369544.tif 000004
【図４】
0004369544.tif 000005
【図５】
0004369544.tif 000006
【図６】
0004369544.tif 000007
【図７】
0004369544.tif 000008
【図８】
0004369544.tif 000009
【図９】
0004369544.tif 000010
【図１０】
0004369544.tif 000011
【図１１】
0004369544.tif 000012
【図１２】
0004369544.tif 000013
【図１３】
0004369544.tif 000014
【図１４】
0004369544.tif 000015
【図１５】
0004369544.tif 000016
【図１６】
0004369544.tif 000017
【図１７】
0004369544.tif 000018
【図１８】
0004369544.tif 000019
【図１９】
0004369544.tif 000020
【図２０】
0004369544.tif 000021
【図２１】
0004369544.tif 000022
【図２２】
0004369544.tif 000023
【図２３】
0004369544.tif 000024